【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
構造的結合（１）であって、
ａ．第１の取付け面（２０１）及び該第１の取付け面（２０１）と角度をなす第２の取付け面（２０２）を有する第１の細長形状の構造部材（５０）と、
ｂ．第３の取付け面（３０１）及び該第３の取付け面（３０１）と角度をなす第４の取付け面（３０２）を有する第２の細長形状の構造部材（５０）と、
ｃ．複数の留め具（４）と、
ｄ．前記複数の留め具（４）と協働して、前記第１の細長形状の構造部材（５０）と前記第２の細長形状の構造部材（５０）との結合（１）を安定化させる接合部材（５）と
を備え、前記接合部材（５）が、
ｉ．第１の略平坦な部材（６）及び第２の略平坦な部材（６）並びに折曲領域（８）であって、前記第１の略平坦な部材（６）及び前記第２の略平坦な部材（６）は剛性金属から形成され、前記第１の略平坦な部材（６）は第１の端部（７）を有し、前記第２の略平坦な部材（６）は第２の端部（７）を有し、前記折曲領域（８）が前記第１の端部（７）と前記第２の端部（７）との間に配置されており、それにより、前記第１の端部（７）と前記第２の端部（７）とは選択可能な角度で位置付けられるようになっており、前記第１の略平坦な部材（６）は、前記第１の端部（７）と前記折曲領域（８）との間にある前記複数の留め具（４）のうちの少なくとも１つにより前記第１の細長形状の構造部材（５０）の前記第１の取付け面（２０１）に取り付けられ、前記第２の略平坦な部材（６）は、前記第２の端部（７）と前記折曲領域（８）との間にある前記複数の留め具（４）のうちの少なくとも１つにより前記第２の細長形状の構造部材（５０）の前記第３の取付け面（３０１）に取り付けられている、第１の略平坦な部材（６）及び第２の略平坦な部材（６）並びに折曲領域（８）、
ｉｉ．前記第１の端部（７）に近接した第１のパネル部材（９）であって、第１の遠位端（１０）及び第１の内端部（１１）を有し、前記第１の内端部（１１）は第１の角形接合部（１２）において前記第１の略平坦な部材（６）に隣接している、第１のパネル部材（９）、および
ｉｉｉ．前記第２の端部（７）に近接した第２のパネル部材（９）であって、第２の遠位端（１０）及び第２の内端部（１１）を有し、前記第２の内端部（１１）は第２の角形接合部（１２）において前記第２の略平坦な部材（６）に隣接している、第２のパネル部材（９）
を有し、
（ａ）前記第１のパネル部材（９）と前記第２のパネル部材（９）とは、前記折曲領域（８）の近傍で分離されており、
（ｂ）前記第１のパネル部材（９）は、前記第１の略平坦な部材（６）及び前記第１の内端部（１１）に近接した、前記折曲領域（８）が折り曲げられていないときには前記第２のパネル部材（９）の方へ突出している第１のタブ拡張部（１３）を有し、該第１のタブ拡張部（１３）は、前記複数の留め具（４）のうちの少なくとも１つにより前記第２の取付け面（２０２）及び前記第４の取付け面（３０２）のうちの一方に取り付けられており、
（ｃ）前記第２のパネル部材（９）は、前記第２の遠位端（１０）に近接した、前記折曲領域（８）が曲げられていないときには前記第１のパネル部材（９）の方へ突出している第２のタブ拡張部（１３）を有し、該第２のタブ拡張部（１３）は、前記複数の留め具（４）のうちの少なくとも１つにより前記第２の取付け面（２０２）及び前記第４の取付け面（３０２）のうちの一方に取り付けられている、構造的結合。
【請求項２】
ａ．前記第１のタブ拡張部（１３）は、前記折曲領域（８）が折り曲げられていないときには、前記第２のタブ拡張部（１３）と前記略平坦な部材（６）との間にある、請求項１に記載された構造的結合。
【請求項３】
ａ．前記第１のパネル部材（９）と前記第２のパネル部材（９）とは、前記折曲領域（８）が折り曲げられていないときには、矩形（１００）により画定される、請求項２に記載された構造的結合。
【請求項４】
ａ．前記第１の遠位端（１０）から前記第１の内端部（１１）までの前記第１のパネル部材（９）の幅は、前記第２の遠位端（１０）から前記第２の内端部（１１）までの前記第２のパネル部材（９）の幅と等しく、
ｂ．前記第１のタブ拡張部（１３）と前記第２のタブ拡張部（１３）とを合わせると、前記第１の遠位端（１０）から前記第１の内端部（１１）までの前記第１のパネル部材（９）の幅と実質的に同じ幅であり、
ｃ．前記第１のタブ拡張部（１３）と前記第２のタブ拡張部（１３）とを合わせると、前記第２の遠位端（１０）から前記第２の内端部（１１）までの前記第２のパネル部材（９）の幅と実質的に同じ幅である、請求項３に記載された構造的結合。
【請求項５】
ａ．前記第１のタブ拡張部（１３）及び前記第２のタブ拡張部（１３）のうちの少なくとも１つは、前記折曲領域（８）を通過して延在している、請求項２に記載された構造的結合。
【請求項６】
ａ．前記第１のパネル部材（９）と前記第２のパネル部材（９）とは、前記折曲領域（８）が折り曲げられていないときには、狭いＳ字湾曲間隙（１５）により分離されている、請求項２に記載された構造的結合。
【請求項７】
ａ．前記第１のパネル部材（９）が略平坦であり、
ｂ．前記第２のパネル部材（９）が略平坦である、請求項１に記載された構造的結合。
【請求項８】
ａ．前記第１のパネル部材（９）は、前記略平坦な部材（６）の、前記第１の端部（７）と前記折曲領域（８）との間の部分に対して直角であり、
ｂ．前記第２のパネル部材（９）は、前記略平坦な部材（６）の、前記第２の端部（７）と前記折曲領域（８）との間の部分に対して直角である、請求項７に記載された構造的結合。
【請求項９】
ａ．前記折曲領域（８）は、１８０度から９０度までの間の任意の角度で折り曲げることができるようになっている、請求項８に記載された構造的結合。
【請求項１０】
ａ．前記第１の細長形状の構造部材（５０）及び前記第２の細長形状の構造部材（５０）のうちの一方は垂直支柱である、請求項１に記載された構造的結合。
【請求項１１】
ａ．前記接合部材（５）の前記第１の略平坦な部材（６）及び前記第２の略平坦な部材（６）がエンボス加工されている、請求項１に記載された構造的結合。
【請求項１２】
ａ．前記接合部材（５）の前記第１の略平坦な部材（６）は、前記第１の端部（７）と前記折曲領域（８）との間に第１の個別エンボス（１４）を有し、
ｂ．前記接合部材（５）の前記第２の略平坦な部材（６）は、前記第２の端部（７）と前記折曲領域（８）との間に第２の個別エンボス（１４）を有する、請求項１１に記載された構造的結合。
【請求項１３】
ａ．前記第１の細長形状の構造部材（５０）及び前記第２の細長形状の構造部材（５０）のうちの一方は垂直支柱であり、
ｂ．前記第１の細長形状の構造部材（５０）及び前記第２の細長形状の構造部材（５０）のうちの他方は対角ブレーシング部材である、請求項１２に記載された構造的結合。
【請求項１４】
ａ．前記第１の細長形状の構造部材（５０）及び前記第２の細長形状の構造部材（５０）のうちの一方は垂直支柱であり、
ｂ．前記第１の細長形状の構造部材（５０）及び前記第２の細長形状の構造部材（５０）のうちの他方は水平梁である、請求項１２に記載された構造的結合。
【請求項１５】
ａ．前記第１のパネル部材（９）及び前記第２のパネル部材（９）のうちの少なくとも一方は、対応するタブ拡張部（１３）にない前記留め具（４）を用いて、前記第１の細長形状の構造部材（５０）及び前記第２の細長形状の構造部材（５０）のうちの一方に更に取り付けられている、請求項１に記載された構造的結合。
【請求項１６】
ａ．前記第１のパネル部材（９）及び前記第２のパネル部材（９）のうちの少なくとも一方は、対応するタブ拡張部（１３）にある前記留め具（４）を用いて、前記第１の細長形状の構造部材（５０）及び前記第２の細長形状の構造部材（５０）のうちの一方に取り付けられており、該パネル部材（９）は、対応するタブ拡張部（１３）にない前記留め具（４）を用いて、前記第１の細長形状の構造部材（５０）及び前記第２の細長形状の構造部材（５０）うちの他方に取り付けられている、請求項１５に記載された構造的結合。
【請求項１７】
ａ．前記第１のタブ拡張部（１３）は前記折曲領域（８）を通過して延在しており、
ｂ．前記第１のパネル部材（９）及び前記第２のパネル部材（９）は、前記折曲領域（８）が折り曲げられていないときには、狭い間隙（１５）により分離されており、
ｃ．前記第１の角形接合部（１２）は前記折曲領域（８）まで延在せずに、前記狭い間隙（１５）が、前記第１の略平坦な部材（６）の、前記折曲領域（８）と前記折曲領域（８）に隣接した前記第１の略平坦な部材（６）の前記第１の端部（７）との間の部分に沿って、前記第１のパネル部材（９）を前記第１の略平坦な部材（６）から分離するようになっている、請求項１に記載された構造的結合。
【請求項１８】
ａ．前記第１の細長形状の構造部材（５０）及び前記第２の細長形状の構造部材（５０）のうちの一方は、前記第１の細長形状の構造部材（５０）及び前記第２の細長形状の構造部材（５０）の他方の前記取付け面（２０１、２０２、３０１、３０２）の１つに当接している端面（４００）を有する、請求項１に記載された構造的結合。